【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
展開状態において、
互いに直交する縦方向と左右方向と厚さ方向とを有し、
前記縦方向の一方側に設けられた腹側胴回り部と、
前記縦方向の他方側に設けられた背側胴回り部と、
前記腹側胴回り部と前記背側胴回り部との間に設けられた股下部と、を有し、
前記左右方向の中央部に設けられた吸収体を備えた吸収性物品であって、
使用者に対してポジティブな感情を引き起こす感情表示、着用者若しくは動物に対する肌の触れ合いを前記使用者に促す触れ合い表示、又は、前記着用者若しくは動物が排尿したという事実のみを伝える文字列による排尿表示 の少なくとも１つの表示を有し、
前記吸収性物品を包装材から取り出した状態より、前記吸収性物品を交換するときの方が、前記少なくとも１つの表示を視認しやすく、
水分と接触すると色が変化するインジケーターを有し、
前記少なくとも１つの表示は、前記インジケーターの一部であり、
前記縦方向に沿った直線形状の前記インジケーターを有し、
前記インジケーターの一部としての前記少なくとも１つの表示は、前記縦方向において、前記直線形状の前記インジケーターよりも、前記股下部から遠い位置に配置されている
ことを特徴とする吸収性物品。
【請求項２】
展開状態において、
互いに直交する縦方向と左右方向と厚さ方向とを有し、
前記縦方向の一方側に設けられた腹側胴回り部と、
前記縦方向の他方側に設けられた背側胴回り部と、
前記腹側胴回り部と前記背側胴回り部との間に設けられた股下部と、を有し、
前記左右方向の中央部に設けられた吸収体を備えた吸収性物品であって、
使用者に対してポジティブな感情を引き起こす感情表示、着用者若しくは動物に対する肌の触れ合いを前記使用者に促す触れ合い表示、又は、前記着用者若しくは動物が排尿したという事実のみを伝える文字列による排尿表示 の少なくとも１つの表示を有し、
前記吸収性物品を包装材から取り出した状態より、前記吸収性物品を交換するときの方が、前記少なくとも１つの表示を視認しやすく、
水分と接触すると色が変化するインジケーターを有し、
前記少なくとも１つの表示は、前記インジケーターで囲まれた部分に設けられており、
前記縦方向に沿った直線形状の前記インジケーターを有し、
前記インジケーターのうちの前記少なくとも１つの表示を囲む部分は、前記縦方向において、前記直線形状のインジケーターよりも、前記股下部から遠い位置に配置されている
ことを特徴とする吸収性物品。    
【請求項３】
展開状態において、
互いに直交する縦方向と左右方向と厚さ方向とを有し、
前記縦方向の一方側に設けられた腹側胴回り部と、
前記縦方向の他方側に設けられた背側胴回り部と、
前記腹側胴回り部と前記背側胴回り部との間に設けられた股下部と、
水分と接触すると色が変化するインジケーター部と、を有し、
前記左右方向の中央部に設けられた吸収体を備えた吸収性物品であって、
使用者に対してポジティブな感情を引き起こす感情表示を有し、
前記吸収性物品を包装材から取り出した状態より、前記吸収性物品を交換するときの方が、前記感情表示を視認しやすく、
前記感情表示は、前記インジケーター部の一部であるか、又は、前記インジケーター部で囲まれた部分に設けられていることを特徴とする吸収性物品。
【請求項４】
請求項１から３のいずれか１項に記載の吸収性物品であって、
前記着用者は、感情を言葉で表現できない者であることを特徴とする吸収性物品。
【請求項５】
請求項１から４のいずれか１項に記載の吸収性物品であって、
前記感情表示は、文字列であることを特徴とする吸収性物品。
【請求項６】
請求項５に記載の吸収性物品であって、
前記感情表示は、感謝の気持ち を示していることを特徴とする吸収性物品。
【請求項７】
請求項６に記載の吸収性物品であって、
前記感情表示は、ありがとうという文字を含むことを特徴とする吸収性物品。
【請求項８】
請求項１又は２に記載の吸収性物品であって、
前記背側胴回り部の前記左右方向の側端部にそれぞれファスニングテープが設けられており、
前記少なくとも１つの表示は、前記腹側胴回り部に設けられていることを特徴とする吸収性物品。
【請求項９】
請求項８に記載の吸収性物品であって、
前記ファスニングテープの係止部を、前記腹側胴回り部に係止することによって、前記腹側胴回り部と前記背側胴回り部とが連結されて、胴回り開口部と、一対の脚回りが形成された着用状態において、
前記少なくとも１つの表示は、前記ファスニングテープより下側に設けられていることを特徴とする吸収性物品。
【請求項１０】
請求項１から９のいずれか１項に記載の吸収性物品であって、
非肌側から視認可能な図柄を有し、
前記インジケーターと前記図柄が、前記厚さ方向において重ならないことを特徴とする吸収性物品。
【請求項１１】
請求項１又は２に記載の吸収性物品であって、
前記少なくとも１つの表示は、前記左右方向に沿って並んでいることを特徴とする吸収性物品。
【請求項１２】
請求項１１に記載の吸収性物品であって、
前記直線形状の前記インジケーターは、前記股下部から前記腹側胴回り部に向かって前記縦方向に沿っており、
前記少なくとも１つの表示の前記左右方向の長さは、前記直線形状の前記インジケーターの前記左右方向の長さより長いことを特徴とする吸収性物品。
【請求項１３】
第１吸収性物品及び第２吸収性物品を有する吸収性物品群であって、
前記第１吸収性物品及び前記第２吸収性物品は、請求項１又は２に記載の吸収性物品であり、
前記第１吸収性物品は、生後０〜２ヵ月の乳児が着用可能な大きさであり、
前記第２吸収性物品は、生後３か月〜６ヶ月の乳児が着用可能な大きさであり、
前記第１吸収性物品の前記少なくとも１つの表示は、前記触れ合い表示を含まず、
前記第２吸収性物品の前記少なくとも１つの表示は、前記触れ合い表示を含むことを特徴とする吸収性物品群。
【請求項１４】
第１吸収性物品及び第２吸収性物品を有する吸収性物品群であって、
前記第１吸収性物品及び前記第２吸収性物品は、請求項１又は２に記載の吸収性物品であり、
前記第１吸収性物品は、生後０〜２ヵ月の乳児が着用可能な大きさであり、
前記第２吸収性物品は、生後３か月〜６ヶ月の乳児が着用可能な大きさであり、
前記第１吸収性物品及び第２吸収性物品は、それぞれ前記背側胴回り部の前記左右方向の側端部にそれぞれファスニングテープを有し、
前記第１吸収性物品は、前記腹側胴回り部に前記排尿表示を備え、前記ファスニングテープに前記感情表示を備え、
前記第２吸収性物品は、前記腹側胴回り部に前記排尿表示及び前記感情表示を備え、前記ファスニングテープに少なくとも前記触れ合い表示を備えることを特徴とする吸収性物品群。
【手続補正２】
【補正対象書類名】明細書
【補正対象項目名】０００６
【補正方法】変更
【補正の内容】
【０００６】
上記目的を達成するための主たる発明は、
展開状態において、
互いに直交する縦方向と左右方向と厚さ方向とを有し、
前記縦方向の一方側に設けられた腹側胴回り部と、
前記縦方向の他方側に設けられた背側胴回り部と、
前記腹側胴回り部と前記背側胴回り部との間に設けられた股下部と、を有し、
前記左右方向の中央部に設けられた吸収体を備えた吸収性物品であって、
使用者に対してポジティブな感情を引き起こす感情表示、着用者若しくは動物に対する肌の触れ合いを前記使用者に促す触れ合い表示、又は、前記着用者若しくは動物が排尿したという事実のみを伝える文字列による排尿表示 の少なくとも１つの表示を有し、
前記吸収性物品を包装材から取り出した状態より、前記吸収性物品を交換するときの方が、前記少なくとも１つの表示を視認しやすく、
水分と接触すると色が変化するインジケーターを有し、
前記少なくとも１つの表示は、前記インジケーターの一部であり、
前記縦方向に沿った直線形状の前記インジケーターを有し、
前記インジケーターの一部としての前記少なくとも１つの表示は、前記縦方向において、前記直線形状の前記インジケーターよりも、前記股下部から遠い位置に配置されている
ことを特徴とする吸収性物品である。
また、上記目的を達成するための他の主たる発明は、
展開状態において、
互いに直交する縦方向と左右方向と厚さ方向とを有し、
前記縦方向の一方側に設けられた腹側胴回り部と、
前記縦方向の他方側に設けられた背側胴回り部と、
前記腹側胴回り部と前記背側胴回り部との間に設けられた股下部と、を有し、
前記左右方向の中央部に設けられた吸収体を備えた吸収性物品であって、
使用者に対してポジティブな感情を引き起こす感情表示、着用者若しくは動物に対する肌の触れ合いを前記使用者に促す触れ合い表示、又は、前記着用者若しくは動物が排尿したという事実のみを伝える文字列による排尿表示 の少なくとも１つの表示を有し、
前記吸収性物品を包装材から取り出した状態より、前記吸収性物品を交換するときの方が、前記少なくとも１つの表示を視認しやすく、
水分と接触すると色が変化するインジケーターを有し、
前記少なくとも１つの表示は、前記インジケーターで囲まれた部分に設けられており、
前記縦方向に沿った直線形状の前記インジケーターを有し、
前記インジケーターのうちの前記少なくとも１つの表示を囲む部分は、前記縦方向において、前記直線形状のインジケーターよりも、前記股下部から遠い位置に配置されている
ことを特徴とする吸収性物品である。
また、上記目的を達成するための他の主たる発明は、 展開状態において、
互いに直交する縦方向と左右方向と厚さ方向とを有し、
前記縦方向の一方側に設けられた腹側胴回り部と、
前記縦方向の他方側に設けられた背側胴回り部と、
前記腹側胴回り部と前記背側胴回り部との間に設けられた股下部と、
水分と接触すると色が変化するインジケーター部と、を有し、
前記左右方向の中央部に設けられた吸収体を備えた吸収性物品であって、
使用者に対してポジティブな感情を引き起こす感情表示を有し、
前記吸収性物品を包装材から取り出した状態より、前記吸収性物品を交換するときの方が、前記感情表示を視認しやすく、
前記感情表示は、前記インジケーター部の一部であるか、又は、前記インジケーター部で囲まれた部分に設けられていることを特徴とする吸収性物品である。
本発明の他の特徴については、本明細書及び添付図面の記載により明らかにする。